(57)【特許請求の範囲】
【請求項１】
携帯電話と、前記携帯電話から送信された表示情報の表示と制御を行う通信本体とを備える情報表示システムであって、
前記携帯電話は、当該携帯電話を特定する特定情報を記憶する特定情報記憶部と、前記通信本体に画像が表示されているとき、前記画像を操作するため当該携帯電話の左右、前後、上下又は円を描く操作によって左右、前後、上下又は円を描く操作情報を生成する操作情報生成部と、前記特定情報及び操作情報を含む通信信号を前記通信本体へ直接無線送信する送信部とを備え、
前記通信本体は、前記通信信号を前記携帯電話から直接無線通信によって受信する受信部と、前記特定情報と前記表示情報を関連付けて記憶する表示情報記憶部と、画像の操作と携帯電話の操作情報とを関係付けて記憶する操作情報記憶部と、表示部とを備え、前記受信部が前記特定情報を受信したとき、前記表示情報記憶部より前記特定情報に基づいて当該携帯電話に関連する表示情報を読み出して前記表示部に画像として表示し、前記受信部が当該携帯電話の操作情報を受信したとき、前記表示部に表示されている画像を、操作情報記憶部より前記操作情報に基づいて読出し、１枚めくり表示、スライドショー表示、スケジュール表示、カレンダー表示又は時計表示を含むいずれか１つの操作に制御する表示制御部とを備える
ことを特徴とする情報表示システム。
【請求項２】
前記携帯電話は、角速度センサーまたは加速度センサーを備え、前記操作情報は、携帯電話が左右、前後あるいは上下に揺動または円を描くように回転操作された場合に、前記角速度センサーまたは加速度センサーから出力される情報である請求項１に記載の情報表示システム。
【請求項３】
前記携帯電話は、リモコン操作を起動するためのリモコン操作起動ボタンを備える請求項１または２に記載の情報表示システム。
【請求項４】
更に、携帯電話はカメラを備え、前記カメラによって撮影された表示情報を前記送信部により、前記通信本体へ送信して表示情報記憶部に前記携帯電話に関連付けて記憶する請求項１に記載の情報表示システム。
【請求項５】
前記表示情報記憶部に記憶された表示情報を、前記携帯電話からの指示信号により、当該携帯電話に関連付ける登録操作部を備える請求項１に記載の情報表示システム。
【請求項６】
前記送信部は、Bluetooth(登録商標),IrDA,IrSS,IrSimpleを含む請求項１に記載の情報表示システム。
【請求項７】
携帯電話から、当該携帯電話を特定する特定情報と、通信本体に画像が表示されているとき、前記画像を操作するため、当該携帯電話の左右、前後、上下又は円を描く操作によって左右、前後、上下又は円を描く操作情報とを含む通信信号を受信する通信本体であって、
前記特定情報と前記携帯電話から送信された表示情報を関連付けて記憶する表示情報記憶部と、
前記画像の操作と携帯電話の操作情報とを関係付けて記憶する操作情報記憶部と、
表示部と、
前記携帯電話から前記通信信号を直接無線通信によって受信する受信部と、
前記受信部が、特定情報を受信したとき、前記表示情報記憶部より前記特定情報に基づいて当該携帯電話に関連する表示情報を読み出して前記表示部に画像を表示し、前記受信部が、当該携帯電話の操作情報を受信したとき、前記表示部に表示されている画像を、前記操作情報記憶部より前記操作情報に基づいて読出し、１枚めくり表示、スライドショー表示、スケジュール表示、カレンダー表示又は時計表示を含むいずれか１つに制御する表示制御部とを備える
ことを特徴とする通信本体。
【請求項８】
携帯電話の特定情報と携帯電話から送信された表示情報を関連付けて記憶する表示情報記憶部と、画像を１枚めくり表示、スライドショー表示、スケジュール表示又は時計表示を含むいずれか１つのの操作と、携帯電話の左右、前後、上下又は円を描く操作情報とを関係付けて記憶する操作情報記憶部と、画像を表示する表示部と、前記受信部が前記特定情報を受信したとき、前記表示情報記憶部より前記特定情報に基づいて当該携帯電話に関連する表示情報を読み出して前記表示部に画像として表示し、前記受信部が当該携帯電話の操作情報を受信したとき、前記表示部に表示されている画像を、操作情報記憶部より前記操作情報に基づいて読出し、１枚めくり表示、スライドショー表示、スケジュール表示、カレンダー表示又は時計表示を含むいずれか１つの操作に制御する表示制御部とを備える通信本体と通信する携帯電話であって、
当該携帯電話を特定する特定情報を記憶する特定情報記憶部と、
前記通信本体に画像が表示されているとき、前記画像を操作するため当該携帯電話の左右、前後、上下又は円を描く操作によって左右、前後、上下又は円を描く操作情報を生成する操作情報生成部と、
前記特定情報及び操作情報を含む通信信号を前記通信本体へ直接無線送信する送信部と
を備えることを特徴とする携帯電話。
【請求項９】
携帯電話を特定する特定情報を記憶する特定情報記憶部と、通信本体と直接無線通信する送信部とを有する携帯電話と、
前記携帯電話と直接無線通信する受信部、前記特定情報と前記表示情報を関連付けて記憶する表示情報記憶部と、画像の操作と携帯電話の操作情報とを関係付けて記憶する操作情報記憶部と、画像を表示する表示部とを有する通信本体と
を備える情報表示方法であって、
前記携帯電話は、
前記通信本体に画像が表示されているとき、前記画像を操作するため、当該携帯電話の左右、前後、上下又は円を描く操作によって左右、前後、上下又は円を描く操作情報を生成する操作情報生成ステップと、
前記特定情報及び操作情報を含む通信信号を直接無線送信する送信ステップ
を実行し、
前記通信本体は、
前記受信部が直接無線通信によって前記通信信号を受信する受信ステップと、
前記受信ステップで特定情報受信したとき、前記表示情報記憶部より前記特定情報に基づいて当該携帯電話に関連する表示情報を読み出して前記表示部に画像として表示するステップと、
前記受信ステップで当該携帯電話の操作情報を受信したとき、前記表示部に表示されている画像を、前記操作情報記憶部より前記操作情報に基づいて読出し、１枚めくり表示、スライドショー表示、スケジュール表示、カレンダー表示又は時計表示を含むいずれか１つに制御する表示制御ステップと
を実行することを特徴とする情報表示方法。
【発明の詳細な説明】
【技術分野】
【０００１】
この発明は、携帯電話に関連する表示画像を表示部に表示し、携帯電話の操作によって表示画像を制御することが可能な情報表示システム、及びこの情報表示システムに利用される通信本体及び携帯電話に関し、更に情報表示方法に関する。
【背景技術】
【０００２】
表示装置は、表示画面に動画や静止画などを表示して利用させたり、観賞させたり、また電子機器の操作情報を表示して電子機器の操作を便利にしたりする。
例えば、無線子機付き通信端末においては、通信端末または子機が操作された際、通信端末及び子機に備えられた表示装置に、電話番号や相手先情報を表示させて、ダイヤル操作、発呼操作を便利、かつ確実にするように使用される。また、着信の際は、着信を報知し、相手先情報を表示するように使用される。
【０００３】
通信端末及び複数の子機からなる無線子機付き通信端末において、通信端末及び複数の子機が使用する電話番号及び相手先情報を記録した電話帳データを通信端末又は子機に記憶し、通信端末又は子機が操作された際、電話帳データを読み出して通信端末又は子機の表示装置に電話番号及び相手先情報を表示する発明が公知である（例えば、特許文献１及び２参照）。
【先行技術文献】
【特許文献】
【０００４】
【特許文献１】特開２００４−２２８７３０号公報
【特許文献２】特開２００５−９４４３１号公報
【発明の概要】
【発明が解決しようとする課題】
【０００５】
特許文献１及び２は、複数の子機を備え、各子機で同じ操作をした場合、同じ表示情報が表示される。また、電子機器のリモコンが複数ある場合も、複数のリモコンで同じ操作をすると、同じ動作が行われる。
しかし、複数の無線子機を備える通信端末は、家庭では、子機が両親用（または父親用と母親用）、子供用（または長男用と長女用）及び祖父母用のように個人あるいは少人数単位で専用されることが多い。また、携帯電話は、ほぼ個人が専用で使用する。このように、無線子機および携帯電話は、個人または少人数単位で専用されるので、個人または少人数単位に対応した情報が表示され、また表示画像を操作できると、より的確な情報が表示され、また操作が行なえるので便利になり、最適なユーザ操作が実現できる。
また、会社又は事務所でも同様に、携帯電話は各個人が所有して使用するので、各個人に対応する情報を表示すると便利に利用でき、また表示画像を操作できると、効率的に使用することができる。
【０００６】
また、最近の無線子機付き通信端末は、通信端末に５型〜１０型程度の表示画面を備え、家族の写真、ペットの写真、あるいは家庭の旅行写真を表示させて、フォトスタンドのように使用される製品もある。このフォトスタンドに、素早く個人の好みの写真を表示したり、個人の好みの操作が可能になれば、より楽しくフォトスタンドを見ることができる。
会社又は事務所では、携帯電話の使用者が必要とする会社情報、製品情報、製品紹介、広告情報、またはスケジュールなどを表示させて使用することができる。
また、表示画面に表示する表示情報を各携帯電話の使用者ごとに制限したり、各携帯電話のプライバシーを保持したり、相互の秘密保持をしたりするために、それぞれ各携帯電話固有の情報が表示され、また操作できることが望ましい。
【０００７】
本発明はこのような要求に鑑み、携帯電話に関連する表示画像を表示し、携帯電話の操作によって表示画像を制御することが可能な情報表示システム、この情報表示システムに利用される通信本体及び携帯電話を提供し、更に情報表示方法を提供するものである。
【課題を解決するための手段】
【０００８】
本発明の情報表示システムは、上記課題を解決するため、携帯電話と、前記携帯電話からの情報に基づいて画像の表示と制御を行う通信本体とを備える情報表示システムであって、前記携帯電話は、当該携帯電話を特定する特定情報を記憶する特定情報記憶部と、前記通信本体に画像が表示されているとき、前記画像を操作する操作情報を生成する操作情報生成部と、前記特定情報及び操作情報を含む通信信号を前記通信本体へ直接無線送信する送信部とを備え、前記通信本体は、前記通信信号を前記携帯電話から直接無線通信によって受信する受信部と、前記携帯電話に関連する表示情報を記憶する表示情報記憶部と、表示部と、前記受信部が前記特定情報を受信したとき、前記表示情報記憶部より携帯電話に関連する表示情報を読み出して前記表示部に画像として表示し、前記受信部が前記操作情報を受信したとき、前記表示部に表示されている画像を前記操作情報に基づいて制御する表示制御部とを備えることを特徴とする。
【０００９】
本発明の情報表示システムは、表示情報記憶部に記憶された表示情報を、携帯電話からの関連付け操作によって関連付けることができる。
また、本発明の情報表示システムは、携帯電話に加速度センサーを備え、携帯電話を左右、前後または上下に揺動すると、左右、前後または上下操作情報を生成する。また、角速度センサーを備え、携帯電話を回転操作すると、回転操作情報を生成する。このような操作情報に基づいて表示画像を制御する。
また、本発明の情報表示システムは、携帯電話の操作に応じて表示制御部が一つの表示画像から他の表示画像に変える、めくり表示または連続的に表示画像を変化させるスライドショー表示に制御する。
【００１０】
また、本発明の情報表示システムは、携帯電話と通信本体間を直接無線通信する直接無線通信部を備え、電話回線あるいは中継局を経由せずに直接通信する。従って、直接無線通信は、近距離無線通信、見通し通信であり、通信速度が速く、無料で通信することができる。通信速度が速いので、携帯電話から表示画像を直接操作する感覚で操作することができる。
【００１１】
また、本発明の情報表示システムは、携帯電話に関連する表示情報を記憶し、携帯電話によって関連付けられた表示情報を読み出して表示部に表示するので、携帯電話と通信本体が通信すると、その携帯電話に関連付けられた表示情報が表示される。従って、携帯電話と通信することにより、通信本体に携帯電話の所有者の好みの表示情報、例えば、家族の写真、ペットの写真あるいは風景の写真、スケジュールまたは情報が表示される。そして、その携帯電話を左右、前後、上下または回転操作すると、センサーによって操作が検出され、その操作情報により、例えば、次の写真を表示するめくり表示または連続的に写真が変わるスライドショー表示に制御される。
【００１２】
また、本発明は、別の局面では、上記課題を解決するため、携帯電話から当該携帯電話を特定する特定情報と、画像を操作する操作情報を含む通信信号を受信する通信本体であって、前記携帯電話に関連する画像を形成するための表示情報を予め記憶する表示情報記憶部と、表示部と、携帯電話から前記通信信号を直接無線通信によって受信する受信部と、前記受信部が、特定情報を受信したとき、前記表示情報記憶部より携帯電話に関連する表示情報を読み出して前記表示部に画像を表示し、前記受信部が、操作情報を受信したとき、操作情報に基づいて前記表示部に表示されている画像を制御する表示制御部とを備えることを特徴とする。
【００１３】
更に、別の局面では、本発明の携帯電話は、上記課題を解決するため、携帯電話に関連する表示情報を予め記憶する表示情報記憶部と、表示部とを備える通信本体と通信する携帯電話であって、当該携帯電話を特定する特定情報を記憶する特定情報記憶部と、前記通信本体に画像が表示されているとき、前記画像を操作する操作情報を生成する操作情報生成部と、前記特定情報及び操作情報を含む通信信号を前記通信本体へ直接無線送信する送信部とを備えることを特徴とする。
【００１４】
また、別の局面では、本発明の情報表示方法は、上記課題を解決するため、携帯電話番号を特定する特定情報を記憶する特定情報記憶部と、通信本体と直接無線通信する送信部とを有する携帯電話と、前記携帯電話と直接無線通信する受信部、前記携帯電話に関連する表示情報を記憶する表示情報記憶部及び表示部とを有する通信本体とを備える情報表示方法であって、前記携帯電話は、前記通信本体に画像が表示されているとき、前記画像を操作する操作情報を生成する操作情報生成ステップと、前記特定情報及び操作情報を含む通信信号を直接無線送信する送信ステップを実行し、前記通信本体は、前記受信部が直接無線通信によって前記通信信号を受信する受信ステップと、前記受信ステップで特定情報受信したとき、前記表示情報記憶部より携帯電話に関連する表示情報を読み出して前記表示部に画像として表示するステップと、前記受信ステップで携帯電話から操作情報を受信したとき、前記表示部に表示されている画像を前記操作情報に基づいて制御する表示制御ステップとを実行することを特徴とする。
【発明の効果】
【００１５】
本発明によれば、携帯電話に関連する表示情報が表示され、携帯電話の操作によって表示画像の制御が行なわれる情報表示システムおよび情報表示方法が提供される。
【図面の簡単な説明】
【００１６】
【図１】本発明の情報表示システムの構成図を示す。
【図２】本発明の情報表示システムの第１の使用状態説明図を示す。
【図３】本発明の情報表示システムの第２の使用状態説明図を示す。
【図４】本発明の情報表示システムを構成する通信本体のブロック図を示す。
【図５】本発明の情報表示システムに使用される所有者データマトリックスを示す。
【図６】本発明の情報表示システムに使用される表示情報データマトリックスを示す。
【図７】本発明の情報表示システムに使用される操作情報データマトリックスを示す。
【図８】本発明の情報表示システムを構成する携帯電話のブロック図を示す。
【図９】本発明の情報表示システムのフローチャートを示す。
【図１０】本発明の情報表示システムにおいて、携帯電話を使用したスライドショー操作のフローチャートを示す。
【図１１】本発明の情報表示システムにおいて、携帯電話によって表示情報を関連付け登録するフローチャート（表示情報データマトリックス）を示す。
【図１２】本発明の情報表示システムにおいて、携帯電話によって表示情報を関連付け登録するフローチャート（画像データファイルに固有ＩＤを付加）を示す。
【発明を実施するための形態】
【００１７】
以下、本発明の情報表示システムについて図面を参照して説明する。
図１は、本発明を無線子機付き通信端末および携帯電話を使用する情報表示システムに適用した場合の構成図を示す。
本発明の情報表示システムは、図１（ａ）に示すように、通信本体１００と、携帯電話２０１から構成される。通信本体１００は無線子機（図示しない）を１つ以上備えるが、本発明の情報表示システムに関係がないので、説明を省略する。図１（ａ）は、３つの携帯電話２０１、２０２、及び２０３を示すが、携帯電話の数は、１つ以上何個でもかまわない。図１（ａ）の通信本体１００は、待機状態にあり、表示画面１０１にスライドショー中の一画面を表示している。通信本体１００が待機状態のとき、表示画面１０１にはスライドショー中の一画面を表示する外に、電話帳、写真表示、或いはＦＡＸのような操作用のアイコンを表示している場合もある。
【００１８】
ここで、通信本体１００は、５型〜１０型程度の表示画面１０１が主面の大部分を占めるように大型の表示部を備える。しかし、通信本体１００は操作部及び受話口（スピーカ）、送話口（マイク）を有していない。そのため、通信本体１００の近傍に１つの無線子機が配置され、操作端末として使用される。従って、通信本体１００と無線子機によって親機を構成する。以下では、通信本体１００と無線子機を含めて親機と言うこともある。無線子機の数は１つ以上何個でもかまわない。無線子機は通信本体１００に備えられた電話・ＦＡＸ制御装置を介して、電話回線に接続され、またネットワーク通信部を介してＬＡＮに接続される。従って、無線子機は通信本体１００を介して電話を掛けたり、電話を受けたり、親子通信したりすることができる。
【００１９】
通信本体１００は、例えば、写真、カレンダー、時計またはスケジュールなどが表示可能な大きさの表示部１０１を有する。またこのような大きさの表示部はスライドショーを表示するように使用することが可能である。写真、カレンダー、時計またはスケジュールは、通信本体１００に常時表示してもよいし、スライドショーのように所定時間で順次変化するようにしてもよい。また、本発明の情報表示システムを会社又は事務所で使用する場合は、会社情報、製品情報、製品紹介、広告情報、またはスケジュールなどを表示させてもよい。
【００２０】
また、この通信本体１００は電話回線に接続されているので、ＦＡＸ送信及び受信が可能であるが、スキャナ装置及び印刷装置を備えていない。そのため、送信画像及び受信画像は、メモリ媒体によって入出力する。あるいは、通信本体１００とは別に備えられたスキャナ装置により画像を取り込み、また通信本体とは別に備えられた印刷装置により画像を印刷する。また、通信本体１００は電話回線に接続されているので、携帯電話によって撮影された画像情報を入力することが可能である。もしくは携帯電話に画像情報を出力することも可能である。
更に、通信本体１００はＬＡＮに接続され、ネットワークと通信可能であるので、ネットワークのホームページにある画像情報を利用したり、ホームページに出力したりすることが可能である。
【００２１】
図１に示した携帯電話２０１、２０２及び２０３は、少なくともダイヤルボタン２１１、十字ボタン２１２、表示部２１３、マイク２１４、スピーカ２１５を備える。また、携帯電話内部に角速度センサー、加速度センサー及び通信本体１００と直接通信する直接無線通信部を備える。直接無線通信部は、例えば、Bluetooth(登録商標),IrDA,IrSS,IrSimpleなどであり、画像データ、電話帳データ、その他データの送受信に利用される。
このように、通信本体１００と携帯電話が直接通信することにより、携帯電話から通信本体へ通信すると、その携帯電話に関連付けられた表示情報が読み出され、表示部に表示画像が表示される。また、携帯電話を操作すると、その携帯電話からの操作信号に基づいて表示画像が制御される。
ここでは、携帯電話は３つあるとして説明しているが、携帯電話は１つ以上であればよい。以下も同様である。
【００２２】
図１（ｂ）は、携帯電話２０１に関連付けられた表示情報が通信本体１００の表示画面１０１に表示されていることを示す。図１（ｂ）に示す表示画面１０１は、携帯電話２０１の所有者である母親が好きなペットの写真６枚を表示している様子を示す。
同様に、図１（ｃ）は、携帯電話２０２に関連付けられた表示情報が通信本体１００の表示画面１０１に表示されていることを示す。図１（ｃ）の表示画面１０１は、携帯電話２０２の所有者である娘の友達の写真６枚を表示している様子を示す。
また、図１（ｄ）は、携帯電話２０３に関連付けられた表示情報が通信本体１００の表示画面１０１に表示されていることを示す。図１（ｄ）の表示画面１０１は、携帯電話２０３の所有者である祖父の孫たちの写真を表示している様子を示す。
【００２３】
また、図２は、携帯電話２０１を左右または前後など揺動操作をすると、ペットの写真を１枚めくるように変化する様子を示す。そして、図示しないが、上下に揺動操作すると、時計、カレンダーまたはスケジュールのような別のカテゴリーの情報が表示される。左右、前後、または上下に振る速度を変えると、表示情報が変化する速度が変わる。
【００２４】
また、図３は、通信本体１００のデータ記憶部に格納された表示情報を使用してスライドショーを実施中に、例えば、携帯電話２０１を円を描くように振ると、携帯電話２０１に関連付けられた表示情報が読み出されて、スライドショーを実施する様子を示す。図３は、母親が好きなペットの写真が１枚ずつめくられるように変化するスライドショーを示す。そして、図示しないが、円を描く方向を変えると、逆変化するようにスライドショーが表示される。また、携帯電話を振る速度を変えると、スライドショーの変化速度が変わる。
【００２５】
このように、携帯電話はそれぞれ個別の表示情報に関連付けられており、携帯電話に固有の表示情報を表示部に表示させることができ、そして、携帯電話を操作することにより、表示画像を制御することができる。勿論、当該携帯電話固有の表示画像は、当該携帯電話と通信が確立したときだけ表示され、他の携帯電話と通信が確立されても当該画像を表示させることはできない。これにより、各携帯電話で利用できる表示情報を制限することができる。また、各携帯電話のプライバシーを保持し、相互の秘密を保持することができる。
ここでは、携帯電話と通信が確立したとき当該携帯電話に関連付けた固有の表示情報を表示させる場合を説明したが、携帯電話はオフフックボタン及び操作ボタンを有しているので、これらボタン操作されたときに出力される信号によって表示することができるので、これら信号と表示情報の関係を記憶することにより、携帯電話のボタン操作と表示情報の関係に基づき、情報を表示することができる。
【００２６】
＜通信本体の構成＞
図４は、本発明の情報表示システムを無線子機付き通信端末に適用した場合の通信本体１００のブロック図を示す。
通信本体１００は、例えばＣＰＵのような主制御装置１、ワーキングメモリとして使用されるＲＡＭ２、ＲＯＭ３、各携帯電話と表示情報及び操作情報の関係を記憶するデータ記憶部４、スピーカ５、電話・ＦＡＸ制御装置６、表示部７、操作部８、画像コーデック９、メモリカード制御部１０、ＵＳＢ制御部１１、データ通信無線制御部１２及びネットワーク通信部１３を備え、これら各部分はバス１４により相互に通信可能である。また、電話・ＦＡＸ制御装置６は子機制御装置１５に接続される。
図１では、マイク及び操作部を備えていないとして説明したが、これらは本発明の必須要件ではなく、これらを通信本体１００に備えることにより親機として使用してもよいし、通信本体１００と無線子機をセットにして親機として使用してもよい。
【００２７】
上記主制御装置１は、ＲＯＭ３に格納されたプログラムを読み出して、通信本体１００及び無線子機を初期の目的とおりに動作するよう制御する。また、携帯電話及び無線子機との通信を制御する。
ＲＡＭ２は、上記主制御装置１が所定の動作を実行する場合にデータ、情報等を一時的に記憶するワーキングメモリである。例えば、携帯電話より受信した携帯電話番号をキーワードとして、各携帯電話と表示情報の関係を検索する検索部として使用されたり、検索結果に基づき表示情報を表示させる表示制御部として使用されたりする。また、携帯電話より受信した操作情報に基づき、各携帯電話と操作情報の関係を検索する検索部として使用されたり、検索結果により表示情報を制御する表示制御部として使用されたりする。
ＲＯＭ３は、本発明の情報表示システムを初期の目的とおりに動作させるプログラムデータ及びこの情報表示システムに必要な固定データを記憶する。
【００２８】
データ記憶部４は、各携帯電話と、表示情報および操作情報との関係を記憶する。
即ち、図５に示す所有者データマトリックスは、例えば、携帯電話の所有者名情報と携帯電話の番号との関係を記憶する記憶する。この外に携帯電話の所有者の画像情報、携帯電話の設定番号を記憶してもよいし、全てを記憶しなくてもよい。図５は個人が所有するように個人名を記憶しているが、ニックネームであったり、グループ名であったりしてもかまわない。図５に示す田中四郎は、子機２０２と２０３を使用できることを示している。また、山田太郎は、携帯電話の番号なしであり、どの子機を使用しても構わないことを示している。
【００２９】
図６に示す表示情報データマトリクスは、表示画像と携帯電話の認識情報の関係を示し、図６に示すように、ファイル番号１の画像ファイル名yama.jpgは、携帯電話の認識情報として社名（Ｓ社）、機種名（ＴＴＴ）及び携帯電話番号（１２３４５６）を記憶する。ファイル番号２の画像ファイル名sato.jpgは、携帯電話の認識情報として社名（Ｍ社）、機種名（ＡＡＡ）及び携帯電話番号（２３４５６７）を記憶する。また、ファイル番号３の画像ファイル名t4rou.jpgは、携帯電話の認識情報として社名（未定義）、機種名（未定義）及び携帯電話番号（未定義）を記憶する。上記携帯電話の認識情報は、これら以外に記憶してもよいし、あるいは全てを記憶しなくてもよい。
【００３０】
図７に示す操作データマトリックスは、表示画像の動作と、携帯電話２０１〜２０３の操作との関係付けを記憶する。携帯電話の操作としては、左右操作、上下操作、左回転操作及び右回転操作がある。表示画像の動作としては、表示画像の１枚めくり、スライドショー、逆スライドショー、スケジュール、カレンダー及び時計がある。図７に示した携帯電話の操作と、表示画像の動作の関係付けは、一例であり、任意に関係付けすることが可能である。また、全ての携帯電話が同じ関係付けである場合は、共通の操作情報データマトリックスを有していればよい。
【００３１】
図５〜図７のデータマトリクスは明示的に示すものであり、データ記憶部４の記憶状態を示すものではない。また、図５〜図７のデータマトリクスは、一例であり、任意に設定することが可能である。また、図５〜図７以外の情報または操作を設定してもよい。
また、データ記憶部４は、図１、図２および図３に示した写真以外に、動画、静止画及び電話帳データなども格納し、それぞれ画像名、タイトル、格納時刻、または格納者などが付されている。また、会社又は事務所で使用するために、会社情報、製品情報、製品紹介、広告情報、またはスケジュールなどを格納してもよい。
【００３２】
電話・ＦＡＸ制御装置６は、電話回線２１と接続され、電話またはＦＡＸ通信を制御する部分である。電話回線２１を介して携帯電話と接続することも可能である。
音声制御部６１は、電話回線２１と各無線子機の間の音声信号を制御する。
ＦＡＸ制御部６２は、電話回線２１からの画像信号の受信、または電話回線２１への画像信号の出力を制御する。
この実施形態では、通信本体１００はスキャナ及び印刷装置を備えていないが、メモリカードまたはＵＳＢに接続される記憶媒体から入力された画像信号、またはデータ記憶部４に記憶している表示情報をＦＡＸ信号として送信することができる。また、ＦＡＸ信号を受信した場合、ＲＡＭ２に記憶し、ユーザの要求に応じて表示部に表示させることができる。そして、必要に応じて、メモリカードまたはＵＳＢに接続される記憶媒体に記録することができる。
信号制御部６３は、電話回線２１から受信した信号または通信本体１００から発信する信号を制御するＬＩＵ（Line Interface Unit）である。例えば、着信信号を検出したときは通信本体１００に着信表示及び着信音出力させる。またダイヤル送出信号を送出する際は、発呼信号を出力し、ダイヤル信号を電話回線２１へ送信する。また、電話回線２１より開閉信号を受信したときは、通信本体１００内の電話回路を開閉する。その外に、電話とＦＡＸ、着信と発呼が衝突していないかを検出する。
【００３３】
表示部７は、液晶表示装置７１、バックライト７２を備える。液晶表示装置７１は、５型〜１０型程度の大きさであり、いわゆるポートレートを表示できるような大きさである。液晶表示装置７１の大きさは５型〜１０型に制限される必要はなく、これ以下であってもこれ以上であってもよい。バックライト７２は、通信本体１００の操作部８が操作されると点灯し、液晶表示装置７１により情報表示状態になる。または、電話またはＦＡＸを受信すると、受信状態を表示する。この他に、ＬＥＤを備え、ＬＥＤが点灯するときは、無線子機の使用中であることを表示し、ＬＥＤが点灯していないときは無線子機の使用中でないことを表示する。
【００３４】
操作部８は、０から９までの数字と＊、＃ボタンで計１２個のダイヤルボタンと、外線発信のための外線ボタン、短縮ダイヤル登録のための登録ボタン、短縮ダイヤル発信のための短縮ボタン、前回ダイヤルした電話番号を再度ダイヤルするためのリダイヤルボタン及び十字ボタンなどのキーボタン８１及びキー制御部８２を備える。キーボタン８１によって、通信本体１００の操作を可能にする。また、液晶表示装置７１の前面にタッチパネル８３が配置され、タッチパネル８３を使用して操作された場合、タッチパネル制御部８４によって操作位置が検出され、操作位置に対応した操作信号を生成し、通信本体１００の操作を可能にする。
画像コーデック９は、画像信号の圧縮・伸張を行なうソフトウエアであり、Ｇ３、Ｇ４ファクシミリの画像圧縮・伸張に用いられる。図示しないが、音声信号の符号化・復号化のために、ＩＳＤＮの音声通信用Ｇ．７１１コーデックなどの音声コーデックを備えてもよい。
【００３５】
メモリカード制御部１０は、通信本体１００に備えられたメモリカード接続部１０１にメモリカードが挿入されたとき、メモリカードを検出し、メモリカードに記録された情報を取り込み、信号処理する。或いは、通信本体１００のＲＡＭ２またはデータ記憶部４に記憶するデータ、または電話回線２１より受信した情報をメモリカードに書き込む。
ＵＳＢ制御部１１は、通信本体１００に備えられたＵＳＢ接続部１１１にＵＳＢが接続されたとき、ＵＳＢを検出し、ＵＳＢに接続される機器、例えば、外付けハードディスク、ＤＶＤ、ＣＤより情報を取り込み、信号処理する。或いは、通信本体１００のＲＡＭ２またはデータ記憶部４に記憶するデータ、または電話回線２２より受信した情報をＵＳＢ接続部１１１に接続される機器へ送る。
【００３６】
データ通信無線制御部１２は、通信本体１００と携帯電話２０１，２０２または２０３との直接無線通信を可能にする制御部である。直接無線通信は、電話回線あるいは中継局を経由せずに直接無線通信するものであり、近距離無線通信、見通し通信である。直接通信は、通信速度が速く、無料で通信することができる。通信速度が速いので、携帯電話から表示画像を直接操作する感覚で操作することができる。データ通信のため、例えば、Bluetooth（登録商標）,IrDA,IrSS,またはIrSimpleが使用され、画像データや電話帳データ、またはその他データの送受信が行われる。本発明では、携帯電話から表示情報及び操作情報の送受信に利用される。
ネットワーク通信部１３は、RJ-45、有線ＬＡＮ通信、またはＷｉＦｉなど無線ＬＡＮ通信機能を備え、ＬＡＮ２２により、内部ネットワークまたは外部ネットワークと通信し、画像情報または音楽情報を取得または出力する。
【００３７】
子機制御装置１５は、子機無線通信部１５１と、子機無線コマンド制御部１５２を備える。
子機無線通信部１５１は、通信本体１００と無線子機間の無線通信を制御する。無線子機は必要に応じて２つ以上備えてもかまわない。
子機無線コマンド制御部１５２は、電話・ＦＡＸ制御装置６とデータの送受信を行い、無線子機との通信信号を解析して、どの無線子機がクレードルアップもしくは通信回線捕捉状態（即ち、オフフック）に移行したかを検出する。また、無線子機から送信された操作コマンドを検出する。
【００３８】
＜携帯電話の構成＞
図８は、携帯電話２０１のブロック図を示す。なお、携帯電話２０１〜２０３は少なくとも図８の構成を備えているとし、その他の構成を備えていてもよい。
携帯電話２０１は、携帯電話を制御する主制御装置３１、ＲＯＭ３２、ＲＡＭ３３、データ記憶部３４、スピーカ３５、マイク３６、表示部３７、操作部３８、カメラ３９、音声コーデック４０、画像コーデック４１、キャリア間無線通信制御部４２、メモリカード制御部４３、データ通信無線制御部４４、角速度センサー４５、加速度センサー４６、および充電制御部４７を備える。
【００３９】
主制御装置３１は、ＲＯＭ３２に格納されたプログラムを読み出して、携帯電話２０１を初期の目的とおりに動作するよう制御する。
ＲＯＭ３２は、携帯電話２０１を初期の目的とおりに動作させるプログラムデータ及びこの携帯電話に必要な固定データを記憶する。
ＲＡＭ３３は、主制御装置３１が所定の動作を実行する場合にデータ、情報等を一時的に記憶するワーキングメモリである。
データ記憶部３４は、携帯電話２０１の識別情報を記憶する。識別情報としては、携帯電話番号、携帯電話の所有者名、携帯電話のＩＤ情報のような情報である。また、電話帳データ、送信メール、受信メールを記憶する。この外に、カメラで撮影した画像を記憶する。この撮影画像は、通信本体１００へ送信され、携帯電話に関連付けられた表示画像として表示部に表示される。
【００４０】
スピーカ３５は、受話器であり、マイクロホン３６は送話器である。
表示制御部３７は、液晶表示装置３７１、バックライト３７２の表示を制御する。
操作部３８は、０から９までの数字と＊、＃ボタンで計１２個のダイヤルボタンと、オフフックボタン、短縮ダイヤル登録のための登録ボタン、短縮ダイヤル発信のための短縮ボタン、前回ダイヤルした電話番号を再度ダイヤルするためのリダイヤルボタン及び十字ボタンなどのキーボタン３８１及びキー制御部３８２を備える。これらキーボタン３８１によって、携帯電話２０１の操作を可能にする。
カメラ３９は、画像を撮影するために備えられる。
【００４１】
音声コーデック４０は、ＩＳＤＮの音声通信用Ｇ．７１１コーデックなどの音声コーデックのために音声信号の符号化・復号化を行なうソフトウエアである。
画像コーデック４１は、画像信号の圧縮・伸張を行なうソフトウエアである。
キャリア間無線通信制御部４２は、携帯電話２０１が携帯電話基地局４００と無線通信するための制御部であり、携帯電話番号情報、音声データ、メール情報、画像データを送受信する。
メモリカード制御部４３は、携帯電話２０１に備えられたメモリカード接続部にメモリカードが挿入されたとき、メモリカードを検出し、メモリカードに記録された情報を取り込み、信号処理する。或いは、携帯電話２０１のＲＡＭ３３またはデータ記憶部３９に記憶しているデータをメモリカードに書き込む。
【００４２】
データ通信無線制御部４４は、携帯電話同士が例えば、Bluetooth（登録商標）,IrDA,IrSS,またはIrSimple機能によって、画像データや電話帳データまたはその他データの送受信のために備えられたデータ通信を制御する部分である。本発明は、データ通信無線制御部４４を使用して、通信本体１００と直接通信する。直接通信によって、例えば、画像データや電話帳データ、またはその他データの送受信、および携帯電話の操作情報を送信する。
【００４３】
角速度センサー４５は、携帯電話２０１の回転方向および回転速度を検出して、データ通信無線制御部４５により、角速度情報を通信本体１００へ送信する。回転方向は右回転または左回転を検出する。また、回転速度は１秒間あたりの速度を検出する。しかし、回転方向および回転速度は必須でなく、角速度センサー４６が回転を検出したか、検出していないかの信号を出力するだけでもよい。
加速度センサー４６は、携帯電話２０１の左右方向、前後方向、または上下方向の揺動を検出する。更には、斜め方向の揺動を検出する。しかし、これら方向を全部分類して検出することは必須でなく、いずれか一つだけが揺動したことを検出してもよい。また移動速度を検出してもよい。
充電制御部４７は、携帯電話２０１の二次電池（図示しない）の過充電を防止し、充電を制御する部分である。
【００４４】
＜情報表示システムの動作＞
本発明の情報表示システムは、図４〜図８のように構成され、図２および図３のように使用される。以下には、本発明の情報表示システムの動作を、図９〜図１３に示すフローチャート図とともに説明する。
なお、無線子機付き通信端末、即ち、通信本体は、親子電話として使用する場合、親機による電話およびＦＡＸの送受信、無線子機による電話の送受信、親機と無線子機間の通話、及び無線子機間の通話が行なえる。
また、携帯電話は、通信本体または他の携帯電話との通話、メールの送受信、ネットワークの接続、カメラで撮影した画像保存、及び画像情報の通信本体への送信が可能である。しかし、これらの機能は本発明の主旨ではないので、ここでは説明を省略し、本発明の主旨である、携帯電話に関連付けた情報表示および操作について説明する。
【００４５】
先ず、携帯電話を使用して表示制御する動作を図９のフローチャートにより説明する。
通信本体１００は、図９の左側に示すフローチャートのように動作する。図９の右側は携帯電話のフローチャートを示す。
ステップＳ１は、通信本体１００が待機状態にある。本発明の場合、携帯電話からの直接無線通信の受信待機状態である。待機状態では、通信本体１００は、例えば、データ記憶部４に格納している表示情報を使用して、図１（ａ）に示すようにスライドショー中の一画面を表示している。この図１（ａ）に示す表示の外に、電話帳、写真表示、或いはＦＡＸのような操作用のアイコンを表示している場合もある。ステップＳ２は、携帯電話によるリモコン操作開始信号を受信したか否か判断する。携帯電話からリモコン操作開始信号を受信しなければ、ステップＳ１に戻る。携帯電話からリモコン操作開始信号を受信した場合は、ステップＳ３に移行し、リモコン操作開始信号に含まれている携帯電話の特定情報をチェックする。特定情報は、携帯電話番号、携帯電話の所有者名、または携帯電話のＩＤ情報のような情報である。このチェックは、図５の所有者データマトリックスを使用して行なわれる。次に、ステップＳ４は、携帯電話からの操作情報の受信待機状態である。
【００４６】
そして、ステップＳ５では、操作情報を受信したかどうか判断する。Ｙｅｓであれば、ステップＳ６に進み、受信した操作情報は写真一覧表示コマンドかどうか判断する。Ｙｅｓであれば、ステップＳ７に進み、画像データのタグ情報を解析する。即ち、画像データファイル自身のタグ情報を解析する。例えば、デジタルカメラのExif情報の中に入れる。次のステップＳ８では、操作中の携帯電話に関連した表示情報を読み出して、表示部７に表示画像を一覧表示する。
上記ステップＳ１〜Ｓ８の処理により、図５に示す所有者データマトリックスに登録された所有者の表示情報のみが選択されて、表示部７に表示される。
なお、ステップＳ７は、画像データのタグ情報を解析したが、ステップＳ３でチェックした携帯電話の特定情報をキーワードにして、図６に示した表示情報データマトリックスを検索し、表示情報を読み出してもよい。
【００４７】
上記ステップＳ６において、Ｎｏの場合は、ステップＳ９に移行し、表示画像の操作コマンドを受信したか否か判断する。表示画像の操作コマンドの受信でなければ、ステップＳ４に戻る。しかし、表示画像の操作コマンドを受信すると、ステップＳ１０に移行し、その操作コマンドは、携帯電話の左右操作か、回転操作かを判断する。携帯電話の左右操作であれば、ステップＳ１１に進み、携帯電話の左右操作に設定された表示画像の操作、例えば、図７の操作データマトリックスに従い１枚めくりを実施する。１枚めくりの速さは、左右操作の速度に対応させる。
上記ステップＳ１０で、携帯電話の回転操作であると判断された場合は、ステップＳ１２に進み、回転操作に設定された表示情報の操作、例えば、図７の操作データマトリックスに従いスライドショーを実施する。このときのスライドショーの画像変化速度は、回転操作の速度に対応させる。
ステップＳ１１及びＳ１２で表示される表示画像は、ステップＳ１の待機状態で表示されていた表示画像である。即ち、通信本体１００は、データ記憶部４に格納している表示情報を使用して、図１（ａ）に示すようにスライドショー中の一画面の表示、または電話帳、写真表示、或いはＦＡＸのような操作用のアイコンの表示である。これら表示画像は、操作中の携帯電話と関連のない表示画像である。
【００４８】
以上のような、通信本体１００の動作に対して、携帯電話は図９の右側に示すフローチャートのように動作する。ステップＳ２１では待機状態にある。即ち、携帯電話はオンフック状態である。次に、ステップＳ２２では、携帯電話のリモコン操作アプリケーションを起動する。例えば、携帯電話の＃ボタンと数字１ボタンを同時に押す。次のステップＳ２３は通信本体１００へリモコン操作アプリケーションの起動コマンドを通知する。このときの携帯電話から通信本体への通知は、Bluetooth（登録商標）,IrDA,IrSS,またはIrSimple機能を使用して、通信本体１００へ直接通信する。この起動コマンドは、上記ステップＳ２のとき受信される。そして、ステップＳ２４は、通信本体の表示部７に表示されている表示画像の操作を行なうため、携帯電話を左右、前後、上下または回転操作を開始する。この操作は、携帯電話に備えられた角速度センサー４１または加速度センサー４２によって検出され、ステップＳ２５で、通信本体１００へ操作情報として直接無線通知される。この操作情報の通知は、上記ステップＳ４のとき受信される。
【００４９】
ステップＳ３１では、携帯電話２０１は、通信本体１００の表示部７に表示されている表示画像の一覧表示を操作する状態にある。つまり、上記ステップＳ８により、通信本体１００の表示部７は、表示情報の一覧表示状態にあり、ステップＳ３１は、表示情報の一覧表示を操作する状態にある。次のステップＳ３２は、携帯電話が左右、前後、上下、または回転操作され、角速度センサー４１または加速度センサー４２から検出出力が得られたかどうか判断する。しかし、携帯電話が操作されない場合は、角速度センサー４１または加速度センサー４２から検出出力が得られないので、ステップＳ３１に戻る。
角速度センサー４１または加速度センサー４２から検出出力が得られた場合は、ステップＳ３３で、その検出出力は、有効なジェスチャー操作の検出出力かどうか判断される。Ｎｏであれば、ステップＳ３１に戻る。Ｙｅｓであれば、ステップＳ３４に進み、検出出力は左右、前後、上下操作による出力か、あるいは回転操作による出力かを判断する。即ち、加速度センサー４２からの出力であれば、左右、前後あるいは上下操作であると判断し、角速度センサー４１からの出力であれば、回転操作であると判断する。
次に、ステップＳ３５では、角速度センサー４１または加速度センサー４２からの検出出力を操作コマンドに変換し、同時に携帯電話の特定情報と、携帯電話の状態情報を付加する。これらのコマンドをステップＳ３６で通信本体１００へ直接通信により送信する。この操作コマンドは、上記ステップＳ５のとき、受信される。
角速度センサー４１または加速度センサー４２によって、操作速度が検出される場合は、操作速度情報も含めて操作コマンドとする。また、左右方向、前後方向あるいは上下方向、または正回転方向あるいは逆回転方向が検出される場合は、これら情報も含めて操作コマンドとして通信本体１００へ送信する。
【００５０】
＜携帯電話を使用したスライドショー操作＞
次に、携帯電話に関連した表示画像の操作を図１０のフローチャートにより説明する。
通信本体１００は、図１０の左側に示すフローチャートのように動作する。
ステップＳ４１では、通信本体１００は、データ記憶部４に格納している表示情報を使用してスライドショーを実施している状態にある。次に、ステップＳ４２は、携帯電話からリモコン操作開始信号を受信したか否か判断する。Ｎｏであれば、ステップＳ４１に戻る。Ｙｅｓの場合は、ステップＳ４３に移行し、携帯電話の特定情報をチェックする。携帯電話の特定情報は、携帯電話番号、携帯電話の所有者名、または携帯電話のＩＤ情報のような情報である。
【００５１】
次に、ステップＳ４４では、携帯電話から操作情報の受信待ちの状態になる。携帯電話から操作情報を受信すると、ステップＳ４５に移行し、操作情報を受信したかどうか判断する。Ｎｏであれば、ステップＳ４４に戻る。Ｙｅｓであれば、ステップＳ４６に進み、ステップＳ４５で受信した操作情報は画像操作情報であるかどうか判断する。Ｎｏであれば、ステップＳ４４に戻る。Ｙｅｓであれば、ステップＳ４７に進み、画像データのタグ情報を解析する。または、ステップＳ４３でチェックした携帯電話の特定情報をキーワードにして、図６に示した表示情報データマトリックスを検索し、表示情報を読み出す。
【００５２】
次のステップＳ４８では、ステップＳ４７で読み出された操作中の携帯電話に関連した表示情報を、表示部７に表示画像として表示する。次に、ステップＳ４９に移行し、その操作コマンドは、左右操作か、回転操作かを判断する。左右操作であれば、ステップＳ５０に進み、左右操作に設定された表示画像の操作、例えば、図７の操作情報データマトリックスに従い１枚めくりを実施する。１枚めくりの速さは、左右操作の速度に対応させる。上記ステップＳ４９で、回転操作であると判断された場合は、ステップＳ５１に進み、回転操作に設定された表示情報の操作、例えば、図７の操作情報データマトリックスに従いスライドショーを実施する。このときのスライドショーの画像変化速度は、回転操作の速度に対応させる。ステップＳ５０、Ｓ５１の表示情報は、ステップＳ４７で読み出された表示情報であり、当該操作中の携帯電話に関連した表示情報である。
【００５３】
以上のような、通信本体１００のスライドショー動作に対して、携帯電話は図１０の右側に示すフローチャートのように動作する。
ステップＳ６１では待機状態にある。次に、ステップＳ６２では、携帯電話によるリモコン操作アプリケーションを起動する。リモコン操作アプリケーションの起動は、例えば、携帯電話の＃ボタンと数字１ボタンの両方を押すことにより起動する。ステップＳ６３は、携帯電話のリモコン操作アプリケーションが起動されたことを通信本体１００へ無線通知する。この通知は、上記ステップＳ４１のとき、受信される。携帯電話から通信本体への無線通知は、Bluetooth（登録商標）,IrDA,IrSS,またはIrSimple機能を使用して、直接無線通信する。
次に、ステップＳ６４では、携帯電話を使用して通信本体の表示部７に表示されている表示画像を操作するため、携帯電話を左右、上下、前後または回転操作を開始する。次のステップＳ６５では、携帯電話が左右、前後、上下、または回転操作された結果、角速度センサー４１または加速度センサー４２から検出出力が得られたかどうか判断する。角速度センサー４１または加速度センサー４２から検出出力が出力されない場合は、ステップＳ６１に戻る。
【００５４】
加速度センサー４２または角速度センサー４１から検出出力が得られた場合は、ステップＳ６６に進み、その検出出力は、有効なジェスチャー操作かどうか判断する。Ｎｏであれば、ステップＳ６１に戻る。Ｙｅｓであれば、ステップＳ６７に進み、検出出力は左右、前後、上下操作による出力か、あるいは回転操作による出力かを判断する。即ち、加速度センサー４２からの出力であれば、左右、前後あるいは上下操作であると判断し、角速度センサー４１からの出力であれば、回転操作であると判断する。
次に、ステップＳ６８では、加速度センサー４２または角速度センサー４１からの検出出力を操作情報に変換し、同時に携帯電話の特定情報と、携帯電話の状態情報を付加する。ここで、携帯電話の状態情報は、通話中、カメラ撮影中、着信中のような状態を意味している。これらのコマンド、即ち、画像操作情報をステップＳ６９で通信本体１００へ直接通信により送信する。この操作情報は、上記ステップＳ４５のとき受信される。
角速度センサー４１または加速度センサー４２によって、操作速度が検出される場合は、操作速度情報も含めて操作情報とする。また、左右方向、前後方向あるいは上下方向、または正回転方向あるいは逆回転方向が検出される場合は、これら情報も含めて操作情報として通信本体１００へ送信する。
【００５５】
＜表示情報を携帯電話に関連付け登録する動作（表示情報データマトリックス更新）＞
次に、携帯電話のデータ記憶部３４に格納されている表示情報を通信本体に送信して、表示情報データマトリックス更新することによって携帯電話に関連付け登録する動作を図１１のフローチャートを使用して説明する。
通信本体１００は、図１１の左側に示すフローチャートのように動作する。
ステップＳ７１は、通信本体１００の表示部７に写真を一覧表示し、待機状態である。つまり、図１の状態である。次に、ステップＳ７２は、携帯電話からのリモコン操作開始信号を受信したかどうかを判断する。受信しなければ、ステップＳ７１に戻る。リモコン操作開始信号を受信した場合は、ステップＳ７３に移行し、受信した携帯電話の特定情報をチェックする。携帯電話の特定情報は、携帯電話番号、携帯電話の所有者名、または携帯電話のＩＤ情報のような情報である。
【００５６】
次のステップＳ７４は、携帯電話からの操作情報の受信待ちである。次に、ステップＳ７５では、携帯電話からの操作情報として、画像転送コマンドを受信したか否か判断する。画像転送コマンドを受信しなければ、ステップＳ７４に戻る。画像転送コマンドを受信した場合は、次に、ステップＳ７６で、画像データの受信を待つ。そして、画像データを受信したら、ステップＳ７７で、画像データの受信は完了したかどうか判断する。完了しなければ、ステップＳ７６に戻る。画像データの受信が完了すれば、ステップＳ７８に移行し、データ記憶部４に画像データを保存する。画像データを保存する際に、ステップＳ７９では、図６に示した表示情報データマトリックスを更新する。ステップＳ８０では、以上の処理により登録を確定して、このフローを終了する。
【００５７】
一方、携帯電話は、ステップＳ８１で、携帯電話の表示部３７に写真一覧画面の表示状態にある。この表示状態から通信本体１００で表示する写真を選択する（ステップＳ８２）。このフローでは、写真一覧画面から写真を選択したが、表示部３７に写真を１枚ずつ表示して選択してもよい。
次に、ステップＳ８４で、携帯電話の画像転送モードを起動する。例えば、＃ボタンと、数字２ボタンを同時に押すことによって起動する。次のステップＳ８４では、通信本体１００へ直接無線通信により、画像転送開始を通知する。この通知は、上記ステップＳ７２のとき受信される。そして、ステップＳ８５で、画像データの転送を開始する。この画像データは、携帯電話のカメラ３９の撮影画像、メール添付画像、ＳＤカードから取得した画像、パソコンから取得した画像、その他画像である。この画像データの転送は、上記ステップＳ７７のときに受信される。画像データの転送が完了すれば、このフローは終了する。
【００５８】
＜表示情報を携帯電話に関連付け登録する動作（画像データファイルに固有ＩＤ付加）＞
次に、携帯電話のデータ記憶部３４に格納されている表示情報を通信本体に送信して、画像データファイルに固有ＩＤを付加することによって携帯電話に関連付け登録する動作を図１２のフローチャートを使用して説明する。
図１２のフローチャートにおいて、ステップＳ９１〜Ｓ９８は、図１１のフローチャートのステップＳ７１〜Ｓ７８と同じである。なお、図１２のフローチャートでは、図６に示した表示情報データマトリックスを更新する必要がないので、図１２のフローチャートでは、図１１のステップＳ７９とＳ８０の処理がない。
【００５９】
一方、携帯電話のフローチャートは、図１１のフローチャートのステップＳ８３とＳ８４の間に、画像ファイルのExif情報に固有ＩＤタグを付加する処理（ステップＳ１０４）が加わるが、その他のステップは同じである。
【符号の説明】
【００６０】
１  主制御部
２  ＲＡＭ
３  ＲＯＭ
４  データ記憶部
６  電話・ＦＡＸ制御装置
７  表示部
１２  データ通信無線制御部
１５  子機制御装置
４４  データ通信無線制御部
４５  角速度センサー
４６  加速度センサー
１００  通信本体
２０１〜２０３  携帯電話
【図１】
0005514538.tif 000002
【図２】
0005514538.tif 000003
【図３】
0005514538.tif 000004
【図４】
0005514538.tif 000005
【図５】
0005514538.tif 000006
【図６】
0005514538.tif 000007
【図７】
0005514538.tif 000008
【図８】
0005514538.tif 000009
【図９】
0005514538.tif 000010
【図１０】
0005514538.tif 000011
【図１１】
0005514538.tif 000012
【図１２】
0005514538.tif 000013